(57)【要約】【課題】  光ディスク媒体の反りの発生を抑えるディスクカートリッジを得る。【解決手段】  ディスクメディア１２を構成する基板と光透過層とで、肉厚の差による吸水量の差によって膨張率が異なり、これにより、ディスクメディア１２において、反りの発生が問題となってくる。しかし、本発明のように、上シェル２４のディスクメディア１２側、下シェル２６のディスクメディア１２側、シャッター部材１８のディスクメディア１２側、及びインナーロータ２０のディスクメディア１２側に、防湿層９２（ハッチング部分）を形成することで、ディスクメディア１２の湿気を防止し、ディスクメディア１２の反りを防止することができる。【選択図】        図２
2005259200.tif 000002
【特許請求の範囲】
【請求項１】
ドライブ装置に装填されレーザ光で情報が記録再生されるディスクメディアと、前記ディスクメディアを収納するケースと、を備え、
前記ディスクメディアに対面する前記ケースの内面の少なくとも一部に防湿処理が施されたことを特徴とするディスクカートリッジ。
【請求項２】
前記ディスクメディアが、基板と、前記基板に形成され情報が記録される記録層と、前記記録層の表面に形成されレーザ光を透過させる光透過層と、で少なくとも構成され、
前記基板に対面する前記ケースの内面に防湿処理が施されたことを特徴とする請求項１に記載のディスクカートリッジ。
【請求項３】
ドライブ装置に装填されレーザ光で情報が記録再生されるディスクメディアと、
上シェルと下シェルで構成され、前記ディスクメディアを回転可能に収納するケースと、
前記下シェルに形成され、前記光透過層へレーザ光を投光可能とする第１開口部と、
前記ケース内に回転可能に収容され、前記第１開口部と略同一の大きさの第２開口部が形成されたインナーロータと、
前記インナーロータと前記下シェルの間で揺動可能に支持され、前記インナーロータと協働して前記第１開口部及び前記第２開口部を開閉するシャッターと、
を備え、
前記上シェル、前記下シェル、前記インナーロータ及び前記シャッターの前記ディスクメディアに対面する側の少なくとも一部に防湿処理が施されたことを特徴とするディスクカートリッジ。
【請求項４】
前記防湿処理が、アルミスパッタ、銀スパッタ、アルミ蒸着、ＳｉＮ蒸着、ＤＬＣ蒸着、防湿コーティング剤、防湿フィルムによる防湿コーティングの何れか１つであることを特徴とする請求項１〜３の何れか１項に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
ディスクメディアは、記録又は再生を行う際には、ドライブ装置に装填された状態で回転し、光学ピックアップに備えられたレンズによってレーザー光が記録面へ照射されることで、記録面の色素層分解によるピット形成や相変化、磁化等によって情報の記録がなされ、又はレーザー光の反射率や偏光角の相違に基づいて記録された情報の再生が行われるようになっている。
【０００３】
このようなディスクメディアでは、基板上に少なくとも記録層、光透過層が順次形成され、光透過層側から光が照射されて、記録層によって情報の記録再生が行なわれる高密度タイプの光ディスク媒体が提案されている。この光ディスク媒体は２枚の基板を貼り合わせたＤＶＤと異なり、基板（約１．１ｍｍ）と光透過層（約０．１ｍｍ）の肉厚が異なるため、基板と光透過層の吸水量の差による膨張率の違いによって反りが発生しやすい。
【０００４】
一方、光ディスク媒体において、防塵等の侵入を防ぐためにＡＢＳ材質等の密閉カートリッジに入ったものが提案されており（特許文献１）、防湿性が不十分なため、湿度急変（例えば、２５℃９０％→２５℃４５％）後に反りが発生する可能性がある。このように、光ディスク媒体において、反りが発生すると記録又は再生不良が生じる恐れがある。
【特許文献１】特開２００３−１０９３４５号公報
【発明の開示】
【発明が解決しようとする課題】
【０００５】
本発明は上記事実を考慮し、光ディスク媒体の反りの発生を抑えるディスクカートリッジを得ることを目的としている。
【課題を解決するための手段】
【０００６】
請求項１に記載の発明は、ディスクカートリッジにおいて、ドライブ装置に装填されレーザ光で情報が記録再生されるディスクメディアと、前記ディスクメディアを収納するケースと、を備え、前記ディスクメディアに対面する前記ケースの内面の少なくとも一部に防湿処理が施されたことを特徴としている。
【０００７】
請求項１に記載の発明では、ディスクメディアに対面するケースの内面の少なくとも一部に防湿処理を施すことで、特に保管時において、ケース内の湿気を防止し、ディスクメディアの反りを防止することができる。
【０００８】
請求項２に記載の発明は、請求項１に記載のディスクカートリッジにおいて、前記ディスクメディアが、基板と、前記基板に形成され情報が記録される記録層と、前記記録層の表面に形成されレーザ光を透過させる光透過層と、で少なくとも構成され、前記基板に対面する前記ケースの内面に防湿処理が施されたことを特徴としている。
【０００９】
請求項２に記載の発明では、前記ディスクメディアが、基板と、前記基板に形成され情報が記録される記録層と、前記記録層の表面に形成されレーザ光を透過させる光透過層と、で少なくとも構成され、前記基板と対面する前記ケースの内面側に防湿処理を施している。
【００１０】
ディスクメディアを構成する基板と光透過層とでは、基板の肉厚の方が厚肉であるため、吸水量も多くなってしまう。このため、基板と光透過層とで膨張率が異なってしまい、ディスクメディアに反りが発生してしまう恐れがあるが、ディスクメディアの基板と対面するケースの内面側に防湿処理を施すことで、ディスクメディアの基板側の湿気を防止することができ、基板側の吸水量を低減させ、ディスクメディアの反りを防止することができる。また、ディスクメディアの基板側の湿気を防止することで、ケース内の湿度急変に対してもディスクメディアの反りの発生を防止することができる。
【００１１】
請求項３に記載の発明は、ディスクカートリッジにおいて、ドライブ装置に装填されレーザ光で情報が記録再生されるディスクメディアと、上シェルと下シェルで構成され前記ディスクメディアを回転可能に収納するケースと、前記下シェルに形成され、前記光透過層へレーザ光を投光可能とする第１開口部と、前記ケース内に回転可能に収容され、前記第１開口部と略同一の大きさの第２開口部が形成されたインナーロータと、前記インナーロータと前記下シェルの間で揺動可能に支持され、前記インナーロータと協働して前記第１開口部及び前記第２開口部を開閉するシャッターと、を備え、前記上シェル、前記下シェル、前記インナーロータ及び前記シャッターの前記ディスクメディアに対面する側の少なくとも一部に防湿処理が施されたことを特徴としている。
【００１２】
請求項３に記載の発明では、レーザ光で情報が記録再生されるディスクメディアをケースに収納した状態でケースをドライブ装置に装填するとディスクメディアが回転可能となる。ここで、ケースの下シェルに、ディスクメディアの光透過層へレーザ光を投光可能とする第１開口部を形成し、ケース内には第１開口部と略同一の大きさの第２開口部を形成したインナーロータを回転可能に収容している。
【００１３】
このインナーロータと下シェルの間にシャッターを揺動可能に支持し、インナーロータと協働して第１開口部及び第２開口部を開閉させる。上シェル、下シェル、インナーロータ及びシャッターのディスクメディアに対面する側の少なくとも一部に防湿処理を施すことで、ディスクメディアの防湿を行なうことができ、ディスクメディアの反りを防止することができる。
【００１４】
請求項４に記載の発明は、請求項１〜３の何れか１項に記載のディスクカートリッジにおいて、前記防湿処理が、アルミスパッタ、銀スパッタ、アルミ蒸着、ＳｉＮ蒸着、ＤＬＣ蒸着、防湿コーティング剤、防湿フィルムによる防湿コーティングの何れか１つであることを特徴としている。
【発明の効果】
【００１５】
本発明は、上記構成としたので、請求項１に記載の発明では、ディスクメディアに対面するケースの内面の少なくとも一部に防湿処理を施すことで、特に保管時において、ケース内の湿気を防止し、ディスクメディアの反りを防止することができる。
【００１６】
請求項２に記載の発明では、ディスクメディアの基板と対面するケースの内面側に防湿処理を施すことで、ディスクメディアの基板側の湿気を防止することができ、基板側の吸水量を低減させ、ディスクメディアの反りを防止することができる。また、ディスクメディアの基板側の湿気を防止することで、ケース内の湿度急変に対してもディスクメディアの反りの発生を防止することができる。
【００１７】
請求項３に記載の発明では、上シェル、下シェル、インナーロータ及びシャッターのディスクメディアに対面する側の少なくとも一部に防湿処理を施すことで、ディスクメディアの防湿を行なうことができ、ディスクメディアの反りを防止することができる。
【発明を実施するための最良の形態】
【００１８】
本発明の一実施形態に係るディスクカートリッジ１０について、図１〜図１１に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００１９】
図１はディスクカートリッジ１０の外観形状を示す斜視図であり、図２及び図３は、それぞれディスクカートリッジ１０の構成の上側から、および下側から見た分解斜視図である。これらの図に示されるように、ディスクカートリッジ１０は、円盤状に形成された情報記録再生媒体としてのディスクメディア１２と、上シェル２４と下シェル２６とで構成されディスクメディア１２を回転可能に収容するケース１４と、ディスクメディア１２へアクセスするため下シェル２６に形成された開口１６を開閉可能な一対のシャッター部材１８と、ドライブ装置に回動操作されてシャッター部材１８を駆動し開口１６を開閉させるインナーロータ２０と、ディスクメディア１２の不使用時にインナーロータ２０の回動を阻止し開口１６の閉塞状態を維持するためのロック部材２２と、を主要構成要素として構成されている。
【００２０】
以下、この順にディスクカートリッジ１０の概略全体構成を説明し、次いで、本発明の要部について詳細構造を説明する。
【００２１】
（ディスクカートリッジの全体構成）
図２〜図４に示すように、ディスクメディア１２は、その軸心部に図示しないディスクドライブ装置の回転スピンドル軸に係合保持されるセンタ孔１２Ａを有すると共に、基板１１と、情報の再生時に反射率を向上させる反射層１３と、情報が記録される記録層１５と、レーザ光を透過させる光透過層１７と、で構成されており、センタ孔１２Ａと記録面１２Ｂ（記録層１５と対面する光透過層１７の領域）との間の領域は、ドライブ装置の回転スピンドル軸がディスクメディア１２を保持するためのチャッキングエリア１２Ｃとされている。なお、本実施の形態では、ディスクメディア１２の直径（外径）は略１２０ｍｍとされている。
【００２２】
一方、ディスクメディア１２を収容するケース１４は、上シェル２４と下シェル２６とを接合して略矩形の扁平容器状に構成されている。具体的には、ケース１４は、平面視で前縁部が左右略対称の円弧状に形成されると共に、後端両角隅部が斜めに切り欠かれたような形状とされており、この形状によってドライブ装置の誤装填を防止するようになっている。
【００２３】
以下、ケース１４について具体的に説明する。
【００２４】
図３及び図６に示すように、上シェル２４は、平面視でケース１４の形状に対応した形状の天板２８と、天板２８の外縁に略沿って下方に立設された周壁３０とを備えており、天板２８及び周壁３０の内面側（ディスクメディア１２側）には、防湿層９２（ハッチング部分）が形成され、アルミスパッタ、銀スパッタ、アルミ蒸着、ＳｉＮ蒸着、ＤＬＣ蒸着、防湿コーティング剤、防湿フィルム等による防湿コーティング（基板１１の吸水率よりも吸水率が小さい）が施されている。
【００２５】
天板２８の右端部には、右側の周壁３０よりも右方に張り出した上側溝壁３２が前後方向の略全長に亘り延設されており、上側溝壁３２は、図７に示す下シェル２６の後述する下側溝壁４８と共にケース１４の右側部に前後方向に長手でかつ前方及び右方に開口するガイド溝５０を構成するようになっている。
【００２６】
また、天板２８の下面における周壁３０の内側には、底面視で円環状に形成された内壁３４が立設している。ここで、上シェル２４は、内壁３４の内側にディスクメディア１２を収容するようになっており、内壁３４の外周面は、図２に示すインナーロータ２０の後述する環状壁７２が周方向に摺動可能に嵌合するガイド面とされている。
【００２７】
また、周壁３０には、上シェル２４の右側部の前後方向中央部を切り欠いた切欠き部３０Ａが設けられており、この切欠き部３０Ａが下シェル２６の後述する切欠き部４４Ａと共に、インナーロータ２０を外部（ガイド溝５０）に露出させるシャッター操作窓５２を構成するようになっている。
【００２８】
さらに、天板２８の下面における右前角隅部からは、図２に示すロック部材２２を揺動可能に軸支するロック支軸３６が突設されている。このロック支軸３６は周壁３０と内壁３４との間に位置しており、ロック支軸３６の後方でかつ切欠き部３０Ａの前方には、周壁３０を切り欠いて切欠き部３０Ｂが形成されている。切欠き部３０Ｂは、下シェル２６の後述する切欠き部４４Ｂと共に、ロック部材２２の解除操作部８８をガイド溝５０に突出させるためのロック解除窓５４を構成するようになっている。
【００２９】
また、天板２８の下面におけるロック支軸３６の左方には、第１ストッパ３８が前側の周壁３０から連続して立設されており、インナーロータ２０の閉塞側の回動規制用とされている。また、天板２８の下面後端近傍における左右方向中央部よりも若干右側部分には、第２ストッパ４０が後側の周壁３０から連続して設けられており、インナーロータ２０の開放側の回動規制用とされている。
【００３０】
一方、図２及び図７に示すように、下シェル２６は、上シェル２４の、天板２８に略対応した形状の底板４２と、周壁３０に略対応した形状の周壁４４とを備えており、底板４２及び周壁４４の内面側（ディスクメディア１２側）には、防湿層９２（ハッチング部分）が形成され、アルミスパッタ、銀スパッタ、アルミ蒸着、ＳｉＮ蒸着、ＤＬＣ蒸着、防湿コーティング剤、防湿フィルム等による防湿コーティングが施されている。
【００３１】
また、底板４２には、ディスクメディア１２へアクセスするための開口１６が設けられている。この開口１６は、ディスクメディア１２のセンタ孔１２Ａの外径より大径、かつチャッキングエリア１２Ｃの外径（記録面１２Ｂの内径）よりも若干小径とされた略円形状のハブ孔１６Ａと、ハブ孔１６Ａの左右方向に沿う中心線の前方に連設された略矩形状の記録再生ヘッド用窓部１６Ｂと、で構成され、全体として前方に開口する略Ｕ字状に形成されている。
【００３２】
ハブ孔１６Ａは、上シェル２４と下シェル２６とが接合された状態で、内壁３４内に収容されたディスクメディア１２と略同軸となるように配置されている。ハブ孔１６Ａは、上記寸法とされることで、センタ孔１２Ａ及びチャッキングエリア１２Ｃのみを外部に露出し、記録面１２Ｂを外部に露出しない構成とされている。
【００３３】
また、記録面１２Ｂを露出するための記録再生ヘッド用窓部１６Ｂは、その左縁がハブ孔１６Ａの前後方向に沿う接線よりも左方に位置するように拡幅されており、その前部は周壁４４をも切り欠いて下シェル２６の前方にも開口している。
【００３４】
ハブ孔１６Ａには、ドライブ装置の回転スピンドル軸が進入してディスクメディア１２のセンタ孔１２Ａを係合保持しつつ該ディスクメディア１２を回転駆動するようになっており、記録再生ヘッド用窓部１６Ｂには、ドライブ装置の記録再生ヘッドが進入してディスクメディア１２の記録面１２Ｂに対する情報の記録または再生を行なうようになっている。
【００３５】
そして、記録再生ヘッド用窓部１６Ｂが下シェル２６の前方にも開口していることによって、記録再生ヘッドが記録面１２Ｂの外周部まで容易にアクセスすることができるようになっている。なお、ハブ孔１６Ａと記録再生ヘッド用窓部１６Ｂとは、互いに独立して設けられても良い。
【００３６】
この底板４２における記録再生ヘッド用窓部１６Ｂの左右両縁部の前端近傍には、それぞれ前端が周壁４４に連続する防塵リブ４６が立設されている。各防塵リブ４６は、底板４２の内面からの高さがシャッター部材１８の厚みと同等とされており、それぞれの上面をインナーロータ２０が摺動するようになっている。また、各防塵リブ４６の後端部は、開口１６を閉塞しているシャッター部材１８にそれぞれ接触するように、それぞれの位置が決められている。
【００３７】
また、底板４２の右端部には、右側の周壁４４よりも右方に張り出した下側溝壁４８が前後方向の略全長に亘り延設されている。この下側溝壁４８が図６に示す上シェル２４の上側溝壁３２と対向して、ケース１４の右側部にガイド溝５０が形成される構成である。
【００３８】
このガイド溝５０は、上シェル２４と下シェル２６との接合によって互いに上下端面を突き当てられた周壁３０、４４の溝底とされており、上記の通りケース１４の前後方向に長手でかつ前方及び右方に開口すると共に本実施の形態では後方にも開口している。
【００３９】
さらに、下シェル２６の右側部における周壁４４には、周壁３０の切欠き部３０Ａに対応して形成された切欠き部４４Ａと、切欠き部３０Ｂに対応して形成された切欠き部４４Ｂとが設けられている。
【００４０】
これにより、上シェル２４と下シェル２６とを接合したケース１４には、ガイド溝５０の溝底における長手方向中央部で開口するシャッター操作窓５２と、シャッター操作窓５２の前方でガイド溝５０の溝底に開口するロック解除窓５４とが形成される構成である。
【００４１】
また、底板４２における開口１６を挟む左右両側には、それぞれカム突起５６が突設されている。一対のカム突起５６は、ハブ孔１６Ａの軸心、より正確にはインナーロータ２０の回転中心に対し互いに対称となる位置に配置されている。
【００４２】
これらのカム突起５６は、それぞれ異なるシャッター部材１８のカム溝６６（後述）に入り込んで該カム溝６６と共に確動カムを構成し、ケース１４とインナーロータ２０との相対回転によってシャッター部材１８を開口１６の閉塞位置と開放位置との間で移動させるようになっている。
【００４３】
以上説明した下シェル２６は、周壁４４の上端面を周壁３０の下端面に突き当てた状態で、ビス止めによって上シェル２４に接合されてケース１４を構成している。なお、上シェル２４と下シェル２６とは、ビス止めに代えて、例えば周壁３０、４４を超音波溶着等によって接合しても良い。
【００４４】
一方、図２及び図５に示すように、一対のシャッター部材１８は、それぞれ略半円平板状に形成されており、シャッター部材１８のディスクメディア１２と対向する面（ディスクメディア１２側）には、防湿層９２（ハッチング部分）が形成され、アルミスパッタ、銀スパッタ、アルミ蒸着、ＳｉＮ蒸着、ＤＬＣ蒸着、防湿コーティング剤、防湿フィルム等による防湿コーティングが施されている。
【００４５】
また、シャッター部材１８の互いの弦部には、突合せ部６０、６２が設けられており、この突合せ部６０、６２を突き合せて、下シェル２６に形成された開口１６の一部を閉塞可能とされている。すなわち、一対のシャッター部材１８は、互いの突合せ部６０、６２を突き合せてハブ孔１６Ａ及び記録再生ヘッド用窓部１６Ｂの前端近傍の一部を除く部分を閉塞する閉塞位置（図９参照）と、各突合せ部６０、６２を開口１６の左右の縁部に略一致させて開口１６を開放する開放位置（図１１参照）とを取り得るように形成されている。
【００４６】
ここで、閉塞位置に配置された一対のシャッター部材１８は、互いの突合せ部６０、６２を上下に重ね合わせてケース１４内への塵芥の侵入を確実に阻止するようになっている。
【００４７】
具体的には、各シャッター部材１８の突合せ部６０、６２には段部６３が形成されており、該段部６３を境にして長手方向一方側には上面に沿った薄肉部である庇部６５が形成されると共に、他方側には下面に沿った薄肉部である庇部６７が形成されている。
【００４８】
そして、一対のシャッター部材１８が閉塞位置に配置されたときには、一方のシャッター部材１８の庇部６５の下側に他方のシャッター部材１８の庇部６７が重ね合わされると共に、一方のシャッター部材１８の庇部６７の上側に他方のシャッター部材１８の庇部６５が重ね合わされるようになっている。ここで、各庇部６５、６７の相手方との重ね合わせ面は、該相手方を誘い込むように緩やかな傾斜面とされている。
【００４９】
一方、各シャッター部材１８の弦部の長手方向一端部近傍には、それぞれ軸孔６４が設けられており、各軸孔６４はシャッター部材１８のインナーロータ２０への軸支用とされている。また、各シャッター部材１８には、下シェル２６に形成されたカム突起５６が入り込むカム溝６６がそれぞれ設けられている。各カム溝６６は、それぞれのシャッター部材１８における軸孔６４の軸心を通る直線方向に長手の直線スリット状に形成されており、かつ組付状態で互いに平行となるように設けられている。
【００５０】
すなわち、各カム溝６６は、各カム突起５６と同様に、インナーロータ２０の回転中心に対し互いに対称となるように設けられている。また、各カム溝６６は、シャッター部材１８を板厚方向に貫通しており、カム突起５６との係合深さを確保するようになっている。
【００５１】
さらに、少なくとも一方のシャッター部材１８には、弧部から張り出した防塵部６８が設けられている。この防塵部６８は、該一方のシャッター部材１８が閉塞位置に配置されたとき、開口１６の右縁側に位置する防塵リブ４６の後端面に当接し底板４２の上面とインナーロータ２０の円板部７０（後述）の下面との隙間を埋めるようになっている（図９参照）。なお、防塵部６８は、各シャッター部材１８にそれぞれ設けても良い。
【００５２】
一方、インナーロータ２０は、円板状に形成された円板部７０と、円板部７０の外周に沿って上方に立設された環状壁７２とを備えており、円板部７０及び環状壁７２の内面側（ディスクメディア１２側）には、防湿層９２（ハッチング部分）が形成され、アルミスパッタ、銀スパッタ、アルミ蒸着、ＳｉＮ蒸着、ＤＬＣ蒸着、防湿コーティング剤、防湿フィルム等による防湿コーティングが施されている。
【００５３】
また、インナーロータ２０の円板部７０には、開口１６とほぼ同じ形状の開口７４が設けられており、開口７４は、その円板部７０の外周側の端部において、環状壁７２の下部を下シェル２６の周壁４４の高さに相当する分だけ切り欠いてインナーロータ２０の径方向外側にも開口している。
【００５４】
このインナーロータ２０は、上記の通り上シェル２４の内壁３４に周方向に摺動可能に外嵌し、ケース１４に対しディスクメディア１２とは独立して回転可能に支持される構成である。そして、インナーロータ２０は、この回転（回動）によって、ケース１４の底板４２との間に配置される一対のシャッター部材１８を、これらの間で摺動させつつ閉塞位置と開放位置との間を移動させるようになっている。
【００５５】
また、円板部７０の下面におけるインナーロータ２０の回転中心に対し対称となる２箇所からはそれぞれ支持突起７６が突設されており、各支持突起７６にはそれぞれ異なるシャッター部材の軸孔６４が回転自在に嵌合している。
【００５６】
すなわち、各シャッター部材１８は、インナーロータ２０にそれぞれの支持突起７６廻りに回動自在に軸支されており、それぞれの支持突起７６廻りに回動して閉塞位置と開放位置とを取り得るようになっている。
【００５７】
上記の如く各シャッター部材１８のカム溝６６にケース１４のカム突起５６が入り込んでそれぞれ確動カムを構成し、ケース１４に対するインナーロータ２０の相対回転によって、一対のシャッター部材１８が閉塞位置と開放位置との間で駆動されるようになっている。
【００５８】
具体的には、図９に示すように、一対のシャッター部材１８が閉塞位置に配置されると、インナーロータ２０は、その開口７４が開口１６に対し左側に所定角度（略５０°〜６０°）ずれた位置に回転しており、その円板部７０及び環状壁７２によって開口１６の前部（シャッター部材１８によって閉塞されない部分）を内側から閉塞している。このとき、各カム突起５６がそれぞれカム溝６６の軸孔６４から遠い方の端部に入り込んでいる。
【００５９】
この状態から図１０に示すように、インナーロータ２０をケース１４に対し矢印Ｄ方向に回動させると、各シャッター部材１８は、それぞれのカム溝６６の溝壁がカム突起５６によって矢印Ｄとは略反対向きの矢印Ｅ方向に押圧され、それぞれの支持突起７６廻りに互いに離間する方向に回動する構成である。
【００６０】
そして、図１１に示すように、インナーロータ２０が開口７４をケース１４の開口１６と一致させる位置まで回動すると、各シャッター部材１８の突合せ部６０、６２が開口１６、７４の左右の縁部に略一致して配置され、開口１６が完全に開放される（各シャッター部材１８が開放位置に至る）構成である。この状態では、各カム突起５６がそれぞれカム溝６６の軸孔６４から近い方の端部に入り込んでいる。
【００６１】
一方、この開口１６の開放状態からインナーロータ２０を矢印Ｄとは反対向きの矢印Ｆ方向に回動すると、上記の動作とは逆の動作によって、一対のシャッター部材１８が閉塞位置（図９に示す状態）に復帰するようになっている。
【００６２】
これらの図９〜図１１から判るように、一対のシャッター部材１８は、ケース１４に対してはインナーロータ２０の支持突起７６の回動に伴う回動と該支持突起７６廻りの回動とを重ね合わせた運動を行なうが、シャッター部材１８同士で見ると、互いの突合せ部６０、６２（互いのカム溝６６）を平行に維持したまま互いに接離する動きとなる。
【００６３】
図８及び図９に示すように、インナーロータ２０の環状壁７２の外周部における周方向の一部には、被駆動ギヤ部７８が径方向外側に突出して設けられている。被駆動ギヤ部７８は、その一部がシャッター操作窓５２からガイド溝５０内へ突出している。
【００６４】
そして、被駆動ギヤ部７８は、上記シャッター部材１８を閉塞位置と開放位置との間で移動させるインナーロータ２０の回動範囲において、該ガイド溝５０内を長手方向に移動するドライブ装置側の開閉部材である駆動ラック１００が、常に噛み合い可能となる範囲に設けられている。本実施の形態では、シャッター部材１８を閉塞位置に配置させたときに、ロック部材２２の後述する係合部８６が係合（噛み合い）可能な範囲まで、被駆動ギヤ部７８が設けられている。
【００６５】
これにより、駆動ラック１００がガイド溝５０内をケース１４に対し後方に移動すると、インナーロータ２０が矢印Ｄ方向に回動して開口１６が開放され、駆動ラック１００がガイド溝５０内をケース１４に対し前方に移動すると、インナーロータ２０が矢印Ｆ方向に回動して開口１６が閉塞される構成とされている。
【００６６】
また、環状壁７２から外側に突出した被駆動ギヤ部７８における矢印Ｆ側の端部は、閉塞側ストッパ部８０とされている。閉塞側ストッパ部８０は、シャッター部材１８が閉塞位置に配置されたときに、ケース１４の第１ストッパ３８と当接してインナーロータ２０が閉塞位置を超えて矢印Ｆ方向に回動することを防止するようになっている（図９参照）。
【００６７】
一方、環状壁７２の外面における被駆動ギヤ部７８に対し矢印Ｄ側に所定距離（角度）だけ離間した位置からは、開放側ストッパ部８２が突設されている。開放側ストッパ部８２は、シャッター部材１８が開放位置に配置されたときに、ケース１４の第２ストッパ４０と当接してインナーロータ２０が開放位置を超えて矢印Ｄ方向に回動することを防止するようになっている（図１１参照）。
【００６８】
ところで、ロック部材２２は、平面視で略「へ」字状又は略「く」字状に形成された本体部８４を備えている。本体部８４は、その屈曲部近傍においてケース１４のロック支軸３６に嵌合されており、ケース１４に対し該ロック支軸３６廻りの揺動可能に支持されている。
【００６９】
本体部８４の一端部は、インナーロータ２０の被駆動ギヤ部７８に噛み合い可能な係合部８６とされており、ロック部材２２は、係合部８６が被駆動ギヤ部７８に噛み合った状態でインナーロータ２０のケース１４に対する回動を阻止する構成である。
【００７０】
また、本体部８４の他端部は、該本体部８４のロック支軸３６廻りの回動に伴ってロック解除窓５４からガイド溝５０に対し進退する解除操作部８８とされている。ロック部材２２は、係合部８６が被駆動ギヤ部７８に噛み合った状態で解除操作部８８をガイド溝５０内へ突出させるようになっており、ガイド溝５０内を後方に移動する駆動ラック１００によって解除操作部８８が後方へ押圧されると、本体部８４が矢印Ｇ方向に揺動して係合部８６の被駆動ギヤ部７８との噛み合いを解除する構成である（図１０参照）。
【００７１】
さらに、本体部８４の屈曲部近傍からは、その係合部８６側部分の前側に並行するように板ばね部９０が延設されている。板ばね部９０は、本体部８４に近接する方向に弾性変形した状態でケース１４の前側の周壁３０に当接しており、本体部８４を矢印Ｇとは反対方向に常に付勢するようになっている。この板ばね部９０の付勢力によって、ロック部材２２は係合部８６と被駆動ギヤ部７８との噛み合いを維持するようになっている。
【００７２】
これにより、不使用時には、インナーロータ２０の回動が阻止され、一対のシャッター部材１８による開口１６の閉塞状態が維持される構成である。また、上記の如き駆動ラック１００によるロック解除状態から解除操作部８８と駆動ラック１００との係合が解除されると、ロック部材２２は、板ばね部９０の付勢力によって係合部８６を被駆動ギヤ部７８に噛み合わせるロック状態に復帰するようになっている。
【００７３】
次に、上記構成によるディスクカートリッジ１０の作用について説明する。
【００７４】
このディスクカートリッジ１０では、図９に示すように、保管時や運搬時等の不使用時には一対のシャッター部材１８が閉塞位置に配置されて開口１６を閉塞している。この状態でロック部材２２の係合部８６がインナーロータ２０の被駆動ギヤ部７８に係合し、該インナーロータ２０の矢印Ｄ方向への回動が阻止されており、一対のシャッター部材１８が閉塞位置に保持されている。すなわち、開口１６の閉塞状態が維持されている。
【００７５】
また、ディスクカートリッジ１０を使用する際、すなわちディスクメディア１２に情報を記録する際またはディスクメディア１２に記録された情報を再生する際には、ディスクカートリッジを矢印Ａ方向に沿ってドライブ装置に装填する。この装填動作（ディスクカートリッジ１０とドライブ装置との相対移動）に伴って、ドライブ装置の駆動ラック１００がケース１４のガイド溝５０に入り込み、該ガイド溝５０内を相対的に後方へ移動する。
【００７６】
これにより、図１０に示すように、ロック部材２２の解除操作部８８が駆動ラック１００によって押圧され、ロック部材２２は、板ばね部９０の付勢力に抗して本体部８４が矢印Ｇ方向に揺動する。このため、係合部８６の被駆動ギヤ部７８との係合状態が解除され、インナーロータ２０が回動可能状態となる。
【００７７】
駆動ラック１００が解除操作部８８との当接状態を維持しつつさらに後方へ移動すると、該駆動ラック１００は被駆動ギヤ部７８と噛み合いながらインナーロータ２０を矢印Ｄ方向に回動させる。このインナーロータ２０の矢印Ｄ方向への回動によって、一対のシャッター部材１８が矢印Ｄ方向の回動に追従しつつ、カム溝６６の溝壁がケース１４のカム突起５６に押圧されて支持突起７６廻りに矢印Ｅにも回動する。すなわち、一対のシャッター部材１８が開口１６の開放方向にそれぞれ移動する。
【００７８】
そして、ディスクカートリッジ１０が所定深さまでドライブ装置に装填され駆動ラック１００との相対移動がなくなると、図１１に示すように、一対のシャッター部材１８は開放位置に至り、開口１６が完全に開放される。この状態からインナーロータ２０をさらに矢印Ｄ方向に回動しようとすると、該インナーロータ２０の開放側ストッパ部８２がケース１４の第２ストッパ４０に当接し、インナーロータ２０の開放位置を超えた矢印Ｄ側への回動が阻止される。
【００７９】
次いで、ドライブ装置内ではディスクカートリッジ１０が位置決めされ、この位置決め状態で開口１６のハブ孔１６Ａからはドライブ装置の回転スピンドル軸が進入し、該回転スピンドル軸がディスクメディア１２のセンタ孔１２Ａ（及びチャッキングエリア１２Ｃ）に係合して該ディスクメディア１２を保持する。そして、回転スピンドル軸が回転すると、ディスクメディア１２がケース１４内で非接触の状態で回転駆動する。
【００８０】
また、開口１６の記録再生ヘッド用窓部１６Ｂからはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００８１】
ディスクメディア１２の使用後には、ディスクカートリッジ１０がドライブ装置から排出される。この排出動作に伴って、駆動ラック１００がガイド溝５０内を相対的に前方へ移動する。この駆動ラック１００の移動によってインナーロータ２０が矢印Ｆ方向へ回動し、一対のシャッター部材１８が閉塞側へ移動する（図１０参照）。
【００８２】
そして、駆動ラック１００が被駆動ギヤ部７８との噛み合いが解除される位置まで移動すると、図９に示すように、一対のシャッター部材１８が閉塞位置へ至り、開口１６が完全に閉塞される。この状態からインナーロータ２０をさらに矢印Ｆ方向に回動しようとすると、該インナーロータ２０の閉塞側ストッパ部８０がケース１４の第１ストッパ３８に当接し、インナーロータ２０の閉塞位置を超えた矢印Ｆ側への回動が阻止される。
【００８３】
駆動ラック１００が前方へ移動してロック部材２２の解除操作部８８との係合状態が解除されると、ロック部材２２の本体部８４は板ばね部９０の付勢力によって矢印Ｇとは反対方向に揺動し、係合部８６が被駆動ギヤ部７８に係合する。これにより、インナーロータ２０の回動が阻止され、一対のシャッター部材１８が閉塞位置に保持される初期状態に復帰する。この状態でディスクカートリッジ１０はドライブ装置から完全に排出される。
【００８４】
次に、本形態に係るディスクカートリッジの要旨について説明する。
【００８５】
図４に示すように、ディスクメディア１２は、基板１１と、情報の再生時に反射率を向上させる反射層１３と、情報が記録される記録層１５と、レーザ光を透過させる光透過層１７と、で構成されている。基板１１及び光透過層１７はポリカーボネートで成形されており、基板１１が１．１ｍｍに対して光透過層１７は０．１ｍｍとなっている。
【００８６】
このように、基板１１と光透過層１７との肉厚が異なっていると、この肉厚差による吸水量の差によって膨張率が異なり、これにより、ディスクメディア１２において、反りの発生が問題となってくる。
【００８７】
しかし、図２及び図３に示すように、上シェル２４、下シェル２６、シャッター部材１８及びインナーロータ２０のディスクメディア１２側に、それぞれ防湿層９２（ハッチング部分）を形成することで、特に保管時において、ディスクメディア１２の湿気を防止し、ディスクメディア１２の反りを防止することができる。また、ディスクメディア１２の湿気を防止することで、ケース１４内の湿度急変に対してもディスクメディア１２の反りの発生を防止することができる。
【００８８】
ここで、基板１１と光透過層１７との肉厚の差による吸水量の差によって反りの問題が生じるため、少なくともディスクメディア１２の基板１１側の吸水量を小さくすることで、基板１１と光透過層１７との吸水量の差を小さくすることができる。このため、少なくともディスクメディア１２の基板１１側の防湿を行なうことで、ディスクメディア１２の反りを防止することができることとなる。
【００８９】
従って、本実施形態では、上シェル２４、下シェル２６、シャッター部材１８及びインナーロータ２０のディスクメディア１２側に、それぞれ防湿層９２を設けたが、少なくとも上シェル２４のディスクメディア１２側（内面側）に防湿層９２を形成することで、ディスクメディア１２の反りに対する効果は得られる。
【００９０】
また、傷、剥がれ等の問題はあるものの上シェル２４の外面側に防湿層９２を設けても良い。さらに、上シェル２４等の表面に防湿層９２を形成させたが、防湿剤が練り込まれた材料で上シェル２４等を成形しても良い。また、ここでは、基板１１及び光透過層１７を同質のポリカーボネートで成形したが、基板１１を光透過層１７よりも吸水性の低い材料で成形しても良い。
【００９１】
また、上記の実施形態では、一対のシャッター部材１８がインナーロータ２０に支持されて該インナーロータ２０の回動に伴って互いに平行に移動しつつ開口１６を開閉する構成としたが、本発明は、それぞれ平板状に形成された一対のシャッター部材１８が端部（端面）を重ね合わせて当接することで開口１６を閉塞すれば足りるため、シャッター部材１８の形状や駆動機構等によって限定されることはない。
【００９２】
したがって、例えば、それぞれ平面視矩形状に形成された一対のシャッター部材が開口１６の左右反対向きに移動（接離）して開口１６を開閉するようにしても良く、互いに異形のシャッター部材を異なる方向に移動させて開口１６を開閉するようにしても良い。
【００９３】
また、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【００９４】
【図１】本発明の実施の形態に係るディスクカートリッジの外観を示す斜視図である。
【図２】本発明の実施の形態に係るディスクカートリッジの分解斜視図である。
【図３】本発明の実施の形態に係るディスクカートリッジを下から見た分解斜視図である。
【図４】本発明の実施の形態に係るディスクカートリッジのディスクメディアの構成を示す断面図である。
【図５】本発明の実施の形態に係るディスクカートリッジを構成するインナーロータ等を下から見た分解斜視図である。
【図６】本発明の実施の形態に係るディスクカートリッジを構成する上シェルの底面図である。
【図７】本発明の実施の形態に係るディスクカートリッジを構成する下シェルの平面図である。
【図８】本発明の実施の形態に係るディスクカートリッジを構成するインナーロータ及びシャッター部材を下方から見た斜視図である。
【図９】本発明の実施の形態に係るディスクカートリッジの開口閉塞状態を示す下シェルを取り除いて見た底面図である。
【図１０】本発明の実施の形態に係るディスクカートリッジの開口の閉塞または開放過程を示す下シェルを取り除いて見た底面図である。
【図１１】本発明の実施の形態に係るディスクカートリッジの開口開放状態を示す下シェルを取り除いて見た底面図である。
【符号の説明】
【００９５】
１０    ディスクカートリッジ
１１    基板（ディスクメディア）
１２    ディスクメディア
１４    ケース
１５    記録層（ディスクメディア）
１６    開口（第１開口部）
１７    光透過層（ディスクメディア）
１８    シャッター部材
２０    インナーロータ
２４    上シェル（ケース）
２６    下シェル（ケース）
７４    開口（第２開口部）
９２    防湿層
【図１】
2005259200.tif 000003
【図２】
2005259200.tif 000004
【図３】
2005259200.tif 000005
【図４】
2005259200.tif 000006
【図５】
2005259200.tif 000007
【図６】
2005259200.tif 000008
【図７】
2005259200.tif 000009
【図８】
2005259200.tif 000010
【図９】
2005259200.tif 000011
【図１０】
2005259200.tif 000012
【図１１】
2005259200.tif 000013